(57)【要約】【課題】取付レールによって他の床部材を取付可能とする組立式床ユニットを提供すること。【解決手段】組立式床と、該組立式床の上面に設けられる床板とを備える組立式床ユニットであって、前記組立式床は、所定の厚さを有する矩形のプレートであり、上面に少なくとも一本の取付レールが設けられ、前記床板は、所定の厚さを有し、上面に木目模様又は石目模様を有すると共に、下面に前記組立式床の取付レールと対応し合う少なくとも一本の取付溝が形成されることを特徴とする。【選択図】図１
0003125484.tif 000002
【実用新案登録請求の範囲】
【請求項１】
組立式床と、該組立式床の上面に設けられる床板とを備える組立式床ユニットであって、
前記組立式床は、所定の厚さを有する矩形のプレートであり、上面に少なくとも一本の取付レールが設けられ、
前記床板は、所定の厚さを有し、上面に木目模様、又は石目模様を有すると共に、
下面に前記組立式床の取付レールと対応し合う少なくとも一本の取付溝が形成されることを特徴とする、
組立式床ユニット。
【請求項２】
前記取付レールと取付溝の断面は逆台形であることを特徴とする、請求項１に記載の組立式床ユニット。
【請求項３】
前記取付溝の断面は逆台形であり、該取付レールの断面は床板の取付溝に対応せずに、上側が下側より幅広であり、その一側が傾斜状であると共に、他側が垂直状であることを特徴とする、請求項１に記載の組立式床ユニット。
【考案の詳細な説明】
【技術分野】
【０００１】
本考案は、特に取付レールによって他の床部材を取付可能とする組立式床ユニットに関するものである。
【背景技術】
【０００２】
図１１に示すように、従来の組立式床ユニットは、所定の厚さを有する矩形の組立式床（４０）を有し、その上面にカーペット、フローリング、大理石又はプラスチック板などの床部材が設けられる。
又、該組立式床（４０）の底部に支持部材（４１）が設けられることにより、組立床式（４０）の底面と設置面との間に所定の隙間が形成されるので、該隙間に通信回線や、各種のコード又はケーブルなどを敷設することができる。
【考案の開示】
【考案が解決しようとする課題】
【０００３】
しかしながら、前記従来の組立式床には、カーペット、フローリング、大理石又はプラスチック板などの床部材が接着方式により設けられるので、一旦該床部材が接着されてしまうと、床部材の交換が難しくなる。
更に、床部材が破損した時にも、該破損した床部材を交換できないという問題があった。
又、接着剤により床部材を設置する方式は、設置コストが高くなるので、非経済的であった。
【０００４】
そこで、考案されたのが本考案であって、取付レールによって他の床部材を取付可能とする組立式床ユニットを提供することを目的としている。
【課題を解決するための手段】
【０００５】
本願の第１考案は、組立式床と、該組立式床の上面に設けられる床板とを備える組立式床ユニットであって、前記組立式床は、所定の厚さを有する矩形のプレートであり、上面に少なくとも一本の取付レールが設けられ、前記床板は、所定の厚さを有し、上面に木目模様又は石目模様を有すると共に、下面に前記組立式床の取付レールと対応し合う少なくとも一本の取付溝が形成されることを特徴とする組立式床ユニット、を提供する。
【０００６】
本願の第２考案は、前記取付レールと取付溝の断面は逆台形であることを特徴とする、前記第１考案に記載の組立式床ユニット、を提供する。
【０００７】
本願の第３考案の考案は、前記取付溝の断面は逆台形であり、該取付レールの断面は床板の取付溝に対応しなく、上側が下側より幅広であり、その一側が傾斜状であると共に、他側が垂直状であることを特徴とする、前記第１考案に記載の組立式床ユニット、を提供する。
【考案の効果】
【０００８】
本考案は上記の課題を解決するものであり、組立式床の上面に取付レールが設けられると共に、床板の下面に該取付レールと対応する取付溝が形成され、これら取付レールと取付溝とを係止する方法を用いることにより、床板を簡単に組立式床と結合させることができ、床板が破損した時には、該床板を簡単に組立式床から取り外すことができる。
【考案を実施するための最良の形態】
【０００９】
以下、添付図面を参照して本考案の好適な実施の形態を詳細に説明する。
尚、下記の実施例は、本考案の好適な実施の形態を示したものにすぎず、本考案の技術的範囲は、下記実施例そのものに何ら限定されるものではない。
【００１０】
図１は本考案に係る組立式床ユニットの第１実施例の分解斜視図であり、図２は本考案に係る組立式床ユニットの第１実施例の断面図であり、図３は本考案に係る組立式床ユニットの第１実施例の斜視図であり、図４は本考案に係る組立式床ユニットの第２実施例の分解斜視図であり、図５は本考案に係る組立式床ユニットの第２実施例の断面図であり、図６は本考案に係る組立式床ユニットの第２実施例の使用状態をを示す平面図であり、図７は本考案に係る組立式床ユニットの第２実施例の他の使用状態を示す平面図であり、図８は本考案に係る組立式床ユニットの第３実施例の分解断面図であり、図９は本考案に係る組立式床ユニットの第３実施例の結合状態を示す断面図であり、図１０は本考案に係る組立式床ユニットの第３実施例の係合状態を示す断面図である。
【００１１】
図１及び図２に示すように、本考案に係る組立式床ユニットの第１実施例は、組立式床（１０）と、該組立式床（１０）の上面に設けられる床板（２０）とを備えている。
該組立式床（１０）は、所定の厚さを有する矩形のプレートであり、上面に少なくとも一本の取付レール（１１）が設けられる。本実施例の取付レール（１１）は二本であり、該取付レール（１１）の断面は逆台形である。
【００１２】
前記床板（２０）は、所定の厚さを有し、上面に木目模様又は石目模様を有すると共に、下面に前記組立式床（１０）の取付レール（１１）に対応し合う少なくとも一本の取付溝（２１）が形成される。図２に示すように、本実施例の取付溝（２１）の断面は逆台形である。
【００１３】
図３に示すように、床板（２０）を組立式床（１０）に設置する時、各床板（２０）を組立式床（１０）の一側から平行に組立式床（１０）の上側へ移動させ、取付レール（１１）が取付溝（２１）に係止することにより、床板（２０）を組立式床（１０）の上面に設置する。
又、本考案に係る組立式床ユニットの組立式床（１０）は、支持部材（３０）によって設置場所の地面に設置される。
【００１４】
図４及び図５に示すように、本考案の第２実施例は、前記実施例と殆ど等しく、取付レール（１１）の長さが異なる。
取付レール（１１）の長さは、組立式床（１０）の側辺より短く、該取付レール（１１）の端部から組立式床（１０）の側辺までの距離は、床板（２０）の幅とやや等しく、該組立式床（１０）の四角に、支持部材（３０）と組合のボルト（３１）を設置するために湾曲状の凹部（符号なし）が形成され、該床板（２０）の長さは前記実施例の１.５倍であり、下面に三本の取付溝（２１）が形成される。
【００１５】
図６及び図７に示すように、本実施例について、床板（２０）を組立式床（１０）に設置する時、前記実施例と同じように、取付レール（１１）が取付溝（２１）に係止することににより、床板（２０）を組立式床（１０）の上面に設置する。
【００１６】
図８に示すように、本考案に係る組立式床ユニットの第３実施例は、前記第１実施例と殆ど等しく、異なるのは、取付レール（１２）の断面形状である。
取付レール（１２）の断面形状は、床板（２０）の取付溝（２１）に対応せずに、この取付レール（１２）の断面は上側が下側より幅広であり、その一側が傾斜状であると共に、他側が垂直状である。
【００１７】
図９及び図１０に示すように、本実施例の床板（２０）を組立式床（１０）に設置する際、該床板（２０）を上方から下方へ組立式床の上面に移動させ、取付レール（１２）を取付溝（２１）に進入した後、床板（２０）を水平方向へ移動すると共に、取付レール（１２）の傾斜側を取付溝（２１）の一側と密接することにより、取付レール（１２）を取付溝（２１）に係止する。
【００１８】
本考案は上記の構成を有し、組立式床の上面に取付レールが設けられると共に、床板の下面に該取付レールと対応する取付溝が形成され、これら取付レールと取付溝とを係止する方法を用いることにより、床板を簡単に組立式床と結合させることができ、床板が破損した時には、該床板を簡単に組立式床から取り外すことができる。
【図面の簡単な説明】
【００１９】
【図１】本考案に係る組立式床ユニットの第１実施例の分解斜視図である。
【図２】本考案に係る組立式床ユニットの第１実施例の断面図である。
【図３】本考案に係る組立式床ユニットの第１実施例の斜視図である。
【図４】本考案に係る組立式床ユニットの第２実施例の分解斜視図である。
【図５】本考案に係る組立式床ユニットの第２実施例の断面図である。
【図６】本考案に係る組立式床ユニットの第２実施例の使用状態を示す平面図である。
【図７】本考案に係る組立式床ユニットの第２実施例の他の使用状態を示す平面図である。
【図８】本考案に係る組立式床ユニットの第３実施例の分解断面図である。
【図９】本考案に係る組立式床ユニットの第３実施例の結合状態を示す断面図である。
【図１０】本考案に係る組立式床ユニットの第３実施例の係合状態を示す断面図である。
【図１１】従来の組立式床を示す分解斜視図である。
【符号の説明】
【００２０】
１０        組立式床
１１        取付レール
１２        取付レール
２０        床板
２１        取付溝
３０        支持部材
３１        ボルト
４０        組立式床
４１        支持部材
【図１】
0003125484.tif 000003
【図２】
0003125484.tif 000004
【図３】
0003125484.tif 000005
【図４】
0003125484.tif 000006
【図５】
0003125484.tif 000007
【図６】
0003125484.tif 000008
【図７】
0003125484.tif 000009
【図８】
0003125484.tif 000010
【図９】
0003125484.tif 000011
【図１０】
0003125484.tif 000012
【図１１】
0003125484.tif 000013